(57)【要約】【課題】回路遮断時に発生するアークガスの排気を良好としつつ、異物の侵入を防止した回路遮断器を提供する。【解決手段】回路遮断器の筐体１に形成されたアークガスの排気孔９、１０の内側に、流動気流に対して内外非対称の流動抵抗を与える内外非対称形状の異物侵入防止用リブ１５、１７を、筐体１と一体に成形する。異物侵入防止用リブ１５、１７は筺体１の内部側に凹陥した形状であることが好ましく、Ｖ字形状であることが更に好ましい。これによってアークガスの排出を妨げることなく、異物が侵入しにくくすることができる。従来のようなダストバリアが不要となり、部品点数を削減できる。【選択図】図３
2007242463.tif 000002
【特許請求の範囲】
【請求項１】
回路遮断器の筐体に形成されたアークガスの排気孔の内側に、異物侵入防止用リブを筐体と一体に成形したことを特徴とする回路遮断器。
【請求項２】
異物侵入用リブを、流動気流に対して内外非対称の流動抵抗を与える内外非対称形状としたことを特徴とする請求項１に記載の回路遮断器。
【請求項３】
異物侵入防止用リブは、筐体内部側に凹陥した形状であることを特徴とする請求項２記載の回路遮断器。
【請求項４】
異物侵入防止用リブは、Ｖ字形状であることを特徴とする請求項３記載の回路遮断器。
【発明の詳細な説明】
【技術分野】
【０００１】
本発明は、回路遮断時に発生するアークガスの排気を良好としつつ、異物の侵入を防止した回路遮断器に関するものである。
【背景技術】
【０００２】
回路遮断器の筺体には、回路遮断時に発生するアークガスを速やかに外部に排気するための排気孔が形成されている。しかし排気孔を通じて外部から筺体内部に異物が侵入する可能性がある。
【０００３】
そこで、これまでの回路遮断器では、図６に示すように筺体に設けた排気孔５１の外側に、柔軟で薄いファイバー状のダストバリア５２を、排気孔５１の排気側を覆うように取り付けて、筐体内部への異物の侵入を防いでいた。このダストバリア５２の下端は固定端であるが上端は自由端であるので、アークガスが発生して筐体内の圧力が高くなると、ダストバリア５２の上端が弾性変形して湾曲し、アークガスは排気孔５１から排気されるが、常時は排気孔５１を閉塞して異物の侵入を防止するようになっている。
【０００４】
また、特許文献１のように、ダストバリアを備えた排気孔をＵ字型の開口部にして開口面積を拡大し、よりアークガスの排気性能を更に向上させたものもある。ところが、これらの構造でアークガスを排気するには、ダストバリアの製作と取付けが必要であり、部品点数が多くなり、コストが増加するという問題があった。
【特許文献１】特開平９−７３８５４号公報
【発明の開示】
【発明が解決しようとする課題】
【０００５】
本発明は上記のような問題点を解決して、部品点数を削減しつつ、回路遮断時に発生するアークガスの排気を良好とし、外部からの異物の侵入を防止できる回路遮断器を提供することを目的として完成されたものである。
【課題を解決するための手段】
【０００６】
上記課題を解決するためになされた本発明は、回路遮断器の筐体に形成されたアークガスの排気孔の内側に、異物侵入防止用リブを筐体と一体に成形したことを特徴とするものである。
【０００７】
なお、異物侵入用リブを、流動気流に対して内外非対称の流動抵抗を与える内外非対称形状としたことが好ましい。
【０００８】
なお、異物侵入防止用リブは、筐体内部側に凹陥した形状であることが好ましい。
【０００９】
また、異物侵入防止用リブは、Ｖ字形状であることが、更に好ましい。
【発明の効果】
【００１０】
本発明の回路遮断器は、回路遮断器の筐体に形成されたアークガスの排気孔の内側に、異物侵入防止用リブを筐体と一体に成形したので、従来のようなダストバリア等の部品が不要となり、部品点数を削減し、コスト削減を実現することができる。
【００１１】
また、請求項２のように、異物侵入防止用リブを内外非対称形状にして、流動気流に対して内外非対称の流動抵抗を与えることとすれば、アークガスの排気は支障なく行われるが、外部から筺体内部への気流は流れ難くなり、気流中に浮遊するダストは侵入しにくくなる。
【００１２】
また、請求項３のように異物侵入防止用リブを凹陥した形状とすれば、この凹陥した部分で異物を受け止めることとなるので、外部からの異物の侵入の防止に更に効果がある。
【００１３】
また、請求項４のように異物侵入防止用リブをＶ字形状とすれば、アークガスの排気抵抗が小さく、しかも外部からの異物侵入防止効果が更に良好となる。
【発明を実施するための最良の形態】
【００１４】
以下に、図面を参照しつつ本発明の好ましい実施の形態を示す。
図１は本発明の実施形態である回路遮断器の縦断面図、図２は内部構造を示す斜視図、図３は筐体の水平断面図である。図１〜図３において、１は合成樹脂製の筐体であり、その内部に、過電流等を検出して回路を遮断する引き外し装置２と、この引き外し装置２により駆動される可動接触子３が設けられている。
【００１５】
この回路遮断器は２点切り方式を採用しているため、可動接触子３の中央部がクロスバ１６により回転可能に支持されており、可動接触子３の両端に可動接点８がそれぞれ形成されている。オン状態では、可動接点８の一方は電源側端子４の上面に形成された固定接点８ａと接触し、可動接点８の他方は、負荷側端子５と接続された固定部材６の下面に形成された固定接点８ｂと接触している。しかし過電流等を検出したときには、引き外し装置２が可動接触子３を回転させ、回路を遮断する。
【００１６】
この接点開離時に発生するアークガスを排気するために、筐体１には電源側の排気孔９と負荷側の排気孔１０とが形成されている。この実施形態では、電源側の排気孔９及び負荷側の排気孔１０は、それぞれ電源側端子４及び負荷側端子５の端子座の下側に３列３行に形成されている。また接点で発生したアークガスを電源側の排気孔９と負荷側の排気孔１０に導通するために、筐体１の内部に排気通路１１、１２が形成されている。排気孔９、１０の形状は任意であり、略長方形状であっても円形状であっても差し支えない。
【００１７】
なおこの実施形態では、電源側端子４の垂直立ち上がり部４ａに略長方形状の導通孔１３を形成し、アークガスが電源側端子４で塞がれることなく、電源側の排気孔９から排気されるようになっている。また、垂直立ち上がり部４ａの幅に対し、水平部４ｂの幅を狭くしたので、垂直立ち上がり部４ａの下側には、隙間７が形成され、この隙間７もアークガスの流路となる。
【００１８】
これらの電源側の排気孔９及び負荷側の排気孔１０の内側にはそれぞれ、流動気流に対して内外非対称の流動抵抗を与える異物侵入防止用リブ１５、１７が、筐体１と一体に成形されている。これらの異物侵入防止用リブ１５、１７は、筐体１の底面から内側に突出させて一体成形されたものである。内部で発生したアークガスを排気孔９、１０から外部に排出する流動に対する抵抗は小さく、外部から排気孔９、１０を通じて筺体１の内部に向かう空気の流動に対しては大きい抵抗を与えることができるように、異物侵入防止用リブ１５、１７の断面は、内側と外側とで非対称の形状となっており、それによって流動気流に対して内外非対称の流動抵抗を実現している。
【００１９】
このため、異物侵入防止用リブ１５、１７は筐体１の内側に凹陥した形状であることが好ましく、この実施形態では外側に向かって開いたＶ字形状となっている。このような形状とすることによって、アークガスは異物侵入防止用リブ１５、１７の両側を通って排気孔９、１０から速やかに排気されるが、外部からの異物の侵入は異物侵入防止用リブ１５、１７によって防止される。
【００２０】
なお図５に示すように、本実施形態の筐体１の裏面には、出荷時に単三欠相保護用リード線１９が垂れ下がることを防止して、保持するための突起２０、２１、２２が形成されている。従来は出荷時に単三欠相保護用リード線１９を筐体１の裏面にテープで止めていたのであるが、本実施形態のように構成すれば、単三欠相保護用リード線１９をこれらの突起２０、２１、２２で挟んで保持させることができる。
【００２１】
以上説明したように本発明によれば、部品点数を削減しつつ、回路遮断時に発生するアークガスの排気を良好とし、外部からの異物の侵入を防止ことが可能となった。
【００２２】
なお、回路遮断器は、単相三線式の回路遮断器に限定されず、各種の回路遮断器に適用できることはいうまでもない。また、上記実施形態では、排気孔を電源側及び負荷側の両方に設けたが、どちらか一方にのみ排気孔を設けたこととしてもよい。更に、可動接触子の端部の一方のみに可動接点を設けた、一点切りの回路遮断器に適用できることはいうまでもない。
【００２３】
以上、現時点において、もっとも、実践的であり、かつ好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う回路遮断器もまた技術的範囲に包含されるものとして理解されなければならない。
【図面の簡単な説明】
【００２４】
【図１】本発明の実施形態の回路遮断器を示す縦断面図である。
【図２】内部構造を示す斜視図である。
【図３】筐体の水平断面図である。
【図４】筐体の斜視図である。
【図５】筐体の背面図である。
【図６】従来技術を示す断面図である。
【符号の説明】
【００２５】
１      筐体
２      引き外し装置
３      可動接触子
４      電源側端子
４ａ    垂直立ち上がり部
４ｂ    水平部
５      負荷側端子
６      固定部材
７      隙間
８      可動接点
８ａ    固定接点
８ｂ    固定接点
９      電源側の排気孔
１０      負荷側の排気孔
１１      排気通路
１２      排気通路
１３      導通孔
１５      異物侵入防止用リブ
１６      クロスバ
１７      異物侵入防止用リブ
１９      単三欠相保護用リード線
２０      突起
２１      突起
２２      突起
５１      排気孔
５２      ダストバリア
【図１】
2007242463.tif 000003
【図２】
2007242463.tif 000004
【図３】
2007242463.tif 000005
【図４】
2007242463.tif 000006
【図５】
2007242463.tif 000007
【図６】
2007242463.tif 000008